(57)【要約】【課題】　等化性能が向上したチャンネル等化器を提供する。【解決手段】　放送信号から各シンボルのプリ・ゴーストを除去するフィード・フォワードフィルタと、放送信号から各シンボルのポスト・ゴーストを除去するフィードバックフィルタと、プリ・ゴーストが除去されたシンボルとポスト・ゴーストが除去されたシンボルとを加算する合成部と、合成部で加算されたシンボルを設定されたレベルを基準にして該当するレベル値に決め、レベル値を前記フィードバックフィルタにフィードバックするレベル決定部と、合成部で加算されたシンボルに対しトレリス復号を行うトレリス復号部と、合成部で加算されたシンボルとレベル決定部で決められたレベル値との誤差を算出するエラー算出部、及び算出された誤差値に対応してトレリス復号部から出力される複数個のシンボルをフィードバックフィルタに入力させるようトレリス復号部を制御するトレリス制御部と、を有する。【選択図】　図４
2004112792.tif 000002
【特許請求の範囲】
【請求項１】
　入力信号から各シンボルのプリ・ゴーストを除去するフィード・フォワードフィルタと、
　前記入力信号から各シンボルのポスト・ゴーストを除去するフィードバックフィルタと、
　前記プリ・ゴーストが除去されたシンボルと前記ポスト・ゴーストが除去されたシンボルとを加算する合成部と、
　前記合成部で加算されたシンボルを、設定されたレベルを基準にして該当するレベル値に決め、前記レベル値を前記フィードバックフィルタにフィードバックするレベル決定部と、
　前記合成部で加算された前記シンボルに対しトレリス復号を行うトレリス復号部と、
　設定されたエラー更新アルゴリズムにより前記合成部で加算された前記シンボルと前記レベル決定部で決められた前記レベル値との誤差を算出するエラー算出部及び、
　前記エラー算出部で算出された誤差値に基づき、前記トレリス復号部から出力される複数個の復号されたシンボルを前記フィードバックフィルタに入力させるべく、前記トレリス復号部を制御するトレリス制御部と、
を含むことを特徴とする単一搬送波受信機のチャンネル等化器。
【請求項２】
　前記トレリス制御部は、
　前記誤差値に対応する信号対ノイズ比が設定された閾値以上であると、前記トレリス復号部から出力される前記複数個の復号されたシンボルを前記フィードバックフィルタに入力させるべく、前記トレリス復号部を制御することを特徴とする請求項１に記載の単一搬送波受信機のチャンネル等化器。
【請求項３】
　前記トレリス復号部は、
　全体の復号深度（ｄｅｃｏｄｅｄ ｄｅｐｔｈ）がＮ（Ｎは自然数）、全体のトレースバック遅延（ｔｒａｃｅ ｂａｃｋ ｄｅｌａｙ）のシンボル長がＮ×Ｋ（Ｋは自然数）を有することを特徴とする請求項１に記載の単一搬送波受信機のチャンネル等化器。
【請求項４】
　前記トレリス復号部は、
　前記全体の復号深度のうちの複数個の復号深度から出力される前記複数個の復号されたシンボルを前記フィードバックフィルタに入力させることを特徴とする請求項３に記載の単一搬送波受信機のチャンネル等化器。
【請求項５】
　前記トレリス復号部の前記復号深度がｎ（ｎは、式（１））の状態から出力される復号されたシンボルは、前記フィードバックフィルタの１＋（ｎ×Ｋ）番目のフィルタタップに入力され、
　これにより、前記複数個の復号深度から出力される前記複数個の復号されたシンボルは、前記フィードバックフィルタの該当する夫々のフィルタタップに入力されることを特徴とする請求項４に記載の単一搬送波受信機のチャンネル等化器。
【数１】
2004112792.tif 000007
【請求項６】
　前記フィードバックフィルタは、
　前記レベル決定部で決定された前記レベル値が入力されると、前記レベル値に基づいて各シンボルに対する前記ポスト・ゴーストを除去し、
　前記トレリス復号部から前記複数個の復号されたシンボルが入力されると、前記複数個の復号されたシンボルに基づいて前記ポスト・ゴーストを除去することを特徴とする請求項１に記載の単一搬送波受信機のチャンネル等化器。
【請求項７】
　フィード・フォワードフィルタで入力信号に対する各シンボルのプリ・ゴーストを除去するステップと、
　フィードバックフィルタで前記入力信号に対する各シンボルのポスト・ゴーストを除去するステップと、
　前記プリ・ゴーストが除去されたシンボルと前記ポスト・ゴーストが除去されたシンボルとを加算するステップと、
　加算されたシンボルを設定されたレベルを基準にして該当するレベル値に決め、前記レベル値を前記フィードバックフィルタに入力するフィードバックステップと、
　設定されたエラー更新アルゴリズムにより加算された前記シンボルと前記決められた前記レベル値との誤差を算出するステップと、
　トレリス復号器でトレリス復号を行うトレリス復号ステップ及び、
　算出された誤差値に対応して前記トレリス復号器から出力される複数個の復号されたシンボルを前記フィードバックフィルタに入力するか否かを制御するステップと
を含むことを特徴とする単一搬送波受信機のチャンネル等化方法。
【請求項８】
　前記制御ステップは、
　前記誤差値に対応する信号対ノイズ比が設定された閾値以上であると、前記トレリス復号器から出力される前記複数個の復号されたシンボルを前記フィードバックフィルタに入力させることを特徴とする請求項７に記載の単一搬送波受信機のチャンネル等化方法。
【請求項９】
　前記トレリス復号ステップの前記トレリス復号器は、
　全体の復号深度がＮ（Ｎは自然数）、全体のトレースバック遅延のシンボル長がＮ×Ｋ（Ｋは自然数）を有することを特徴とする請求項７に記載の単一搬送波受信機のチャンネル等化方法。
【請求項１０】
　前記トレリス復号器は、前記全体の復号深度のうちの複数個の復号深度から出力される前記複数個の復号されたシンボルを前記フィードバックフィルタに入力させることを特徴とする請求項９に記載の単一搬送波受信機のチャンネル等化方法。
【請求項１１】
　前記トレリス復号器の前記復号深度がｎ（ｎは、式（２））の状態から出力される復号されたシンボルは、前記フィードバックフィルタの１＋（ｎ×Ｋ）番目のフィルタタップに入力され、
　これにより、前記複数個の復号深度から出力される前記複数個の復号されたシンボルは、前記フィードバックフィルタの該当する夫々のフィルタタップに入力されることを特徴とする請求項１０に記載の単一搬送波受信機のチャンネル等化方法。
【数２】
2004112792.tif 000008
【請求項１２】
　前記フィードバックフィルタは、
　前記レベル値に基づいて各シンボルに対する前記ポスト・ゴーストを除去し、
　前記トレリス復号器から前記複数個の復号されたシンボルを入力されると、前記複数個の復号されたシンボルに基づいて前記ポスト・ゴーストを除去することを特徴とする請求項１０に記載の単一搬送波受信機のチャンネル等化方法。
【請求項１３】
　入力信号から転送時の元の信号を復元する復元部と、
　前記入力信号の位相歪みを復元する位相復元部と、
　前記位相歪みが復元された入力信号のシンボルに対しトレリス復号深度単位で復号されたシンボルを用いてチャンネル等化を行うチャンネル等化部と、
　前記チャンネル等化された入力信号に対しデインタリーブを行うデインタリーバ及び
　前記デインタリーブされた入力信号に対しリード・ソロモン復号を行うリード・ソロモン復号部と、
を含むことを特徴とする単一搬送波受信機。
【請求項１４】
　前記復元部は、
　前記入力信号をベースバンドに変換する復調部と、
　前記ベースバンドの入力信号に対し、セグメント同期信号、フィールド同期信号、及びシンボルタイミングに対する歪みの少なくとも一つを復元する歪み補償部及び、
　前記歪みが復元された入力信号からＮＴＳＣ干渉信号を除去するコムフィルタと、
を含むことを特徴とする請求項１３に記載の単一搬送波受信機。
【請求項１５】
　前記チャンネル等化部は、
　入力信号から各シンボルのプリ・ゴーストを除去するフィード・フォワードフィルタと、
　前記入力信号から各シンボルのポスト・ゴーストを除去するフィードバックフィルタと、
　前記プリ・ゴーストが除去されたシンボルと前記ポスト・ゴーストが除去されたシンボルとを加算する合成部と、
　前記合成部で加算されたシンボルを、設定されたレベルを基準にして該当するレベル値に決め、前記レベル値を前記フィードバックフィルタにフィードバックするレベル決定部と、
　前記合成部で加算された前記シンボルに対しトレリス復号を行うトレリス復号部と、
　設定されたエラー更新アルゴリズムにより前記合成部で加算された前記シンボルと前記レベル決定部で決められた前記レベル値との誤差を算出するエラー算出部及び、
　前記エラー算出部で算出された誤差値に基づき、前記トレリス復号部から出力される複数個の復号されたシンボルを前記フィードバックフィルタに入力させるべく、前記トレリス復号部を制御するトレリス制御部と、
を含むことを特徴とする請求項１３に記載の単一搬送波受信機。
【請求項１６】
　前記トレリス復号部は、
　全体の復号深度がＮ（Ｎは自然数）、全体のトレースバック遅延のシンボル長がＮ×Ｋ（Ｋは自然数）を有することを特徴とする請求項１５に記載の単一搬送波受信機。
【請求項１７】
　前記トレリス復号部は、
　前記全体の復号深度のうちの複数個の復号深度から出力される前記複数個の復号されたシンボルを前記フィードバックフィルタに入力させることを特徴とする請求項１６に記載の単一搬送波受信機。
【請求項１８】
　前記トレリス制御部は、
　前記誤差値に対応する信号対ノイズ比が設定された閾値以上であると、前記トレリス復号部から出力される前記複数個の復号されたシンボルを前記フィードバックフィルタに入力させるべく、前記トレリス復号部を制御することを特徴とする請求項１５に記載の単一搬送波受信機。
【請求項１９】
　前記トレリス復号部の前記復号深度がｎ（ｎは、式（３））の状態から出力される復号されたシンボルは、前記フィードバックフィルタの１＋（ｎ×Ｋ）番目のフィルタタップに入力され、
　これにより、前記複数個の復号深度から出力される前記複数個の復号されたシンボルは、前記フィードバックフィルタの該当する夫々のフィルタタップに入力されることを特徴とする請求項１８に記載の単一搬送波受信機。
【数３】
2004112792.tif 000009
【請求項２０】
　前記フィードバックフィルタは、前記レベル決定部で決定された前記レベル値が入力されると、前記レベル値に基づいて各シンボルに対する前記ポスト・ゴーストを除去し、前記トレリス復号部から前記複数個の復号されたシンボルが入力されると、前記複数個の復号されたシンボルに基づいて前記ポスト・ゴーストを除去することを特徴とする請求項１５に記載の単一搬送波受信機。
【請求項２１】
　入力信号の各シンボルのプリ・ゴースト及びポスト・ゴーストを除去するチャンネル等化器及び、
　所定のレベルデータに基づいて前記入力信号の前記プリ・ゴーストと前記ポスト・ゴーストが除去されたシンボルの和と、前記プリ・ゴーストと前記ポスト・ゴーストが除去された入力信号のシンボルの和をトレリス復号するトレリス復号器と、
を含むことを特徴とする単一搬送波受信機。
【請求項２２】
　前記チャンネル等化器は、
　前記入力信号の各々のシンボルのポスト・ゴーストを除去するフィードバックフィルタ、及び前記入力信号の各々のシンボルのプリ・ゴーストを除去するフィード・フォワードフィルタを含むことを特徴とする請求項２１に記載の単一搬送波受信機。
【請求項２３】
　前記チャンネル等化器は、
　前記所定のレベルデータに基づいて前記シンボルのレベルを決め、前記決められたレベルを前記フィードバックフィルタにフィードバックするレベル決定部を含むことを特徴とする請求項２１に記載の単一搬送波受信機。
【請求項２４】
　前記レベル決定部では、
　前記所定のレベルデータに基づいて前記プリ・ゴーストと前記ポスト・ゴーストが除去されたシンボルのレベルを決めることを特徴とする請求項２３に記載の単一搬送波受信機。
【請求項２５】
　前記フィードバックフィルタは、
　前記決められたレベルに基づいて前記ポスト・ゴーストが除去されたシンボルを出力することを特徴とする請求項２３に記載の単一搬送波受信機。
【請求項２６】
　前記チャンネル等化器は、
　前記プリ・ゴーストと前記ポスト・ゴーストが除去された前記入力信号のシンボルの和と前記決められたレベル間のエラー値を算出するエラー算出部を含むことを特徴とする請求項２３に記載の単一搬送波受信機。
【請求項２７】
　前記チャンネル等化器は、
　前記エラー算出部の前記エラー値に基づいて前記プリ・ゴーストと前記ポスト・ゴーストが除去された前記入力信号のシンボルの和をトレリス復号するトレリス復号器を含むことを特徴とする請求項２６に記載の単一搬送波受信機。
【請求項２８】
　前記チャンネル等化器は、
　復号された前記プリ・ゴーストと前記ポスト・ゴーストが除去された前記入力信号のシンボルの和を前記フィードバックフィルタに伝送すべく、前記トレリス復号器を制御する制御器を含むことを特徴とする請求項２７に記載の単一搬送波受信機。
【請求項２９】
　前記フィードバックフィルタは、
　前記復号された和に基づいて前記入力信号のシンボルのポスト・ゴーストを除去することを特徴とする請求項２８に記載の単一搬送波受信機。
【請求項３０】
　前記チャンネル等化器は、
　前記プリ・ゴーストと前記ポスト・ゴーストが除去された前記入力信号のシンボルの前記復号された和を前記フィードバックフィルタに伝送することを特徴とする請求項２１に記載の単一搬送波受信機。
【請求項３１】
　前記チャンネル等化器は、前記エラー値に基づいて前記入力信号の前記ポスト・ゴーストが除去されたシンボルを生成することを特徴とする請求項３０に記載の単一搬送波受信機。
【請求項３２】
　前記チャンネル等化器は、
　前記プリ・ゴーストと前記ポスト・ゴーストが除去された前記入力信号のシンボルの復号された和に基づき、前記入力信号の前記ポスト・ゴーストが除去されたシンボルを生成することを特徴とする請求項３０に記載の単一搬送波受信機。
【請求項３３】
　前記チャンネル等化器は、
　前記フィードバックフィルタで前記復号された和に基づいて前記入力信号のシンボルの前記ポスト・ゴーストが除去されるように、前記入力信号の前記復号されたシンボルを前記フィードバックフィルタに伝送することを特徴とする請求項２１に記載の単一搬送波受信機。
【請求項３４】
　前記入力信号の各々のシンボルのプリ・ゴーストとポスト・ゴーストを除去するステップ及び
　所定のレベルデータに基づいて前記入力信号の前記プリ・ゴーストと前記ポスト・ゴーストが除去されたシンボルの和と前記入力信号の前記プリ・ゴーストと前記ポスト・ゴーストが除去されたシンボルの和をトレリス復号する復号ステップと、
を含むことを特徴とする単一搬送波受信機のチャンネル等化方法。
【請求項３５】
　前記復号ステップは、
　前記所定のレベルデータに基づいて前記和のレベルを決めるステップ及び、
　フィードバックフィルタへ前記決められたレベルをフィードバックさせるステップと、を含むことを特徴とする請求項３４に記載の単一搬送波受信機のチャンネル等化方法。
【請求項３６】
　前記入力信号の各々のシンボルの前記ポスト・ゴーストを除去するステップは、
　前記決められたレベルに基づいて前記ポスト・ゴーストが除去されたシンボルを出力するステップを含むことを特徴とする請求項３５に記載の単一搬送波受信機のチャンネル等化方法。
【請求項３７】
　前記復号ステップは、
　復号された前記プリ・ゴーストと前記ポスト・ゴーストが除去された前記入力信号のシンボルの和を、前記決められたレベルと前記プリ・ゴーストと前記ポスト・ゴーストが除去された前記入力信号のシンボルの和間のエラー値に基づいて前記フィードバックフィルタへ伝送するステップを含むことを特徴とする請求項３５に記載の単一搬送波受信機のチャンネル等化方法。
【発明の詳細な説明】
【技術分野】
【０００１】
　本発明は、単一搬送波受信機のチャンネル等化器に関し、より詳しくは、トレリス復号器から提供される複数個の復号されたシンボルを用いてチャンネル環境に対する受信信号の等化を行なう単一搬送波受信機のチャンネル等化器及びそのチャンネル等化方法に関する。
【背景技術】
【０００２】
　デジタル放送を具現するに際する放送信号の伝送方式としては、残留側波帯（Ｖｅｓｔｉｇｉａｌ Ｓｉｄｅｂａｎｄ：ＶＳＢ）変調方式及び符号化直交周波数分割多重（Ｃｏｄｅｄ Ｏｒｔｈｏｇｏｎａｌ Ｆｒｅｑｕｅｎｃｙ Ｄｉｖｉｓｉｏｎ Ｍｕｌｔｉｐｌｅｘｉｎｇ：ＣＯＦＤＭ）変調方式がある。ＶＳＢ変調方式は、単一搬送波（Ｓｉｎｇｌｅ Ｃａｒｒｉｅｒ）をもって放送信号を伝送する放送信号の伝送のための変調方式である。ＣＯＦＤＭ変調方式は、放送信号を多重分割し、多重伝送チャンネルを介して伝送する放送信号の伝送のための変調方式である。残留側波帯変調方式は、韓国、米国等で採択している米国向けのデジタル放送の伝送方式であり、符号化直交周波数分割多重変調方式は、ヨーロッパ向けのデジタル放送の伝送方式である。
【０００３】
　現在、ＶＳＢ変調方式のうち、米国向けの地上波デジタルテレビに採択された規格は、伝送するための放送信号を８つのレベルに変換し伝送するＡＴＳＣ−８ＶＳＢである。一方、ＶＳＢ変調方式で変調され伝送された放送信号を受信するためのＶＳＢ受信機は、伝送される放送信号に対し伝送チャンネル上で発生した歪みを等化するチャンネル等化器を備える。
【０００４】
　図１は、従来の単一搬送波受信機に適用されたチャンネル等化器の一例を示す図である。同図に示すように、単一搬送波受信機のチャンネル等化器は、フィード・フォワードフィルタ１０、フィードバックフィルタ３０、加算部４０、及びスライサ５０を有する。フィード・フォワードフィルタ１０及びフィードバックフィルタ３０を有するチャンネル等化器を判定帰還形等化器（Ｄｅｃｉｓｉｏｎ Ｆｅｅｄｂａｃｋ Ｅｑｕａｌｉｚｅｒ：ＤＦＥ）という。
【０００５】
　フィード・フォワードフィルタ１０は、放送信号の各シンボルに対しプリ・ゴーストの影響を除去する。フィードバックフィルタ３０は、放送信号の各シンボルに対しポスト・ゴーストの影響を除去する。加算部４０では、フィード・フォワードフィルタ１０でプリ・ゴーストが除去された値とフィードバックフィルタ３０でポスト・ゴーストが除去された値とを加算する。
【０００６】
　スライサ５０では、加算部４０で加算された値を設定されたレベルを基準にして最も近接する信号レベルに決める。スライサ５０では、決められたレベル値をフィードバックフィルタ３０にフィードバックする。
【０００７】
　フィード・フォワードフィルタ１０は、バッファリング部１２、乗算部１４、及び第２の加算部１６を有する。バッファリング部１２では、放送信号を入力される順にシンボル単位で各バッファに順次に格納しバッファリングする。乗算部１４では、バッファリング部１２の各バッファに格納されバッファリングされる各シンボルを等化器（図示せず）のフィード・フォワードフィルタタップ係数で乗算することにより、プリ・ゴーストを除去する。第２の加算部１６では、乗算部１４で夫々プリ・ゴーストが除去された値を合算する。
【０００８】
　フィードバックフィルタ３０は、バッファリング部３２、乗算部３４、及び第３の加算部３６を有する。バッファリング部３２では、スライサ５０で決められたレベル値を入力される順にシンボル単位で各バッファに順次に格納しバッファリングする。乗算部３４では、バッファリング部３２の各バッファに格納されバッファリングされる各シンボルからポスト・ゴーストを除去する。第３の加算部３６では、ポスト・ゴーストが除去された値を合算する。次いで、加算部４０では、フィード・フォワードフィルタ１０の第２の加算部１６及びフィードバックフィルタ３０の第３の加算部３６で夫々合算された値を加算する。
【０００９】
　図１のチャンネル等化器では、フィードバックフィルタ３０の入力としてスライサ５０で決められたレベル値が入力される。しかし、スライサ５０でレベル値を決めるに際してエラーが発生した場合、誤って決められたレベル値は、フィードバックフィルタ３０を経て加算部４０でフィード・フォワードフィルタ１０の出力値と加算される。
【００１０】
　一方、スライサ５０は、放送信号に対し設定されたレベル数によって、レベル値を決めるに際する性能の差異を有する。例えば、レベル数が８レベルである８ＶＳＢの場合、レベル数４レベルである４ＶＳＢに比べて、両者の放送信号の電力値が同一の時、信号レベル間の間隔が半分ほど減少する。従って、スライサ５０のレベル値の判断にエラーが生じる確率が増大するという不具合がある。
【００１１】
　これにより、スライサ５０のレベル値の決定エラーが大きければ大きいほど、フィードバックフィルタ３０のエラー伝搬現象が発生するという不具合がある。また、スライサ５０のレベル値の決定エラーにより放送信号の信号対ノイズ比が大きく減少し、チャンネル等化器の性能を劣化させるという不具合があり、全体として単一搬送波受信機の受信性能を劣化させるという問題点がある。
【００１２】
　従って、スライサ５０のレベル値の決定エラーによるチャンネル等化器の性能劣化を低減するためにチャンネル等化器に入力される信号に対するトレリス復号を行なうＴＣＭ（Ｔｒｅｌｌｉｓ Ｃｏｄｅｄ Ｍｏｄｕｌａｔｉｏｎ）を適用することもある。
【００１３】
　図２は、従来のＶＳＢ受信機に適用されたチャンネル等化器の他の例を示す図である。同図に示すように、チャンネル等化器は、フィード・フォワードフィルタ１０、フィードバックフィルタ３０、加算部４０、スライサ５０、算出部６０、及びＴＣＭ部７０を有する。
【００１４】
　フィード・フォワードフィルタ１０は、放送信号の各シンボルに対しプリ・ゴーストの影響を除去する。フィードバックフィルタ３０は、放送信号の各シンボルに対しポスト・ゴーストの影響を除去する。加算部４０では、フィード・フォワードフィルタ１０でプリ・ゴーストが除去された値とフィードバックフィルタ３０でポスト・ゴーストが除去された値とを加算する。スライサ５０では、加算部４０で加算された値を設定されたレベルを基準にして最も近接する信号レベルに決める。
【００１５】
　算出部６０では、加算部４０の出力値とスライサ５０の出力値との差値を算出する。ＴＣＭ部７０では、加算部４０の出力値に対しトレリス復号を行う。この際、ＴＣＭ部７０では、トレリス復号された値をフィードバックフィルタ３０にフィードバックする。これにより、フィードバックフィルタ３０では、ＴＣＭ部７０からフィードバックされたトレリス復号された値に基づき、各シンボルのポスト・ゴーストを除去する。
【００１６】
　しかし、フィードバックフィルタ３０へ入力されるトレリス復号された値は、ＴＣＭ部７０のトレリス復号動作によるフィードバック遅延が発生し、所定の時間フィードバックフィルタ３０がスライサ５０から出力された値に基づいて各シンボルのポスト・ゴーストを除去する途中に入力される。従って、フィードバックフィルタ３０は、ＴＣＭ部７０からトレリス復号された値が入力されるまでスライサ５０で決められたレベル値に基づいて各シンボルのポスト・ゴーストを除去しなければならないため、スライサ５０がレベル値を決めるとき、誤って決める可能性が高い。
【００１７】
　更に、ＴＣＭ部７０の出力遅延時間の前に放送信号に強いゴーストが存在するチャンネル環境の場合、ＴＣＭ部７０が適用されたチャンネル等化器であるとしても等化性能は期待し難い。
【発明の開示】
【発明が解決しようとする課題】
【００１８】
　本発明は、前記のような問題点を解決するためになされたものであって、その目的は、ゴーストの除去のためにトレリス復号された信号を用いる時、トレリス復号動作による信号の出力遅延時間の前に放送信号に強いゴーストが存在する劣悪なチャンネル環境下でも等化性能が向上可能なＶＳＢ等化器のチャンネル等化器及びこれを用いたチャンネル等化方法を提供することである。
【課題を解決するための手段】
【００１９】
　前記のような目的を達成するための本発明にかかる単一搬送波受信機のチャンネル等化器は、放送信号から各シンボルのプリ・ゴーストを除去するフィード・フォワードフィルタと、前記放送信号から各シンボルのポスト・ゴーストを除去するフィードバックフィルタと、前記プリ・ゴーストが除去されたシンボルと前記ポスト・ゴーストが除去されたシンボルとを加算する合成部と、前記合成部で加算されたシンボルを設定されたレベルを基準にして該当するレベル値に決め、前記レベル値を前記フィードバックフィルタにフィードバックするレベル決定部と、前記合成部で加算された前記シンボルに対しトレリス復号を行い、全体の復号深度がＮ（Ｎは自然数）、全体のトレースバック遅延のシンボル長がＮ×Ｋ（Ｋは自然数）を有するトレリス復号部と、設定されたエラー更新アルゴリズムにより前記合成部で加算された前記シンボルと前記レベル決定部で決められた前記レベル値との誤差を算出するエラー算出部、及び前記エラー算出部で算出された誤差値に対応して前記トレリス復号部の前記全体の復号深度のうちの複数個の状態から出力される複数個の復号されたシンボルを前記フィードバックフィルタに入力させるべく、前記トレリス復号部を制御するトレリス制御部と、を有している。
【００２０】
　前記トレリス制御部は、前記誤差値に対応する信号対ノイズ比が設定された閾値以上であると、前記トレリス復号部の前記全体の復号深度のうちの複数個の状態から出力される前記複数個の復号されたシンボルを前記フィードバックフィルタに入力させるべく前記トレリス復号部を制御する。
【００２１】
　ここで、前記トレリス復号部の前記復号深度がｎ（ｎは、式（４））の状態から出力される復号されたシンボルは、前記フィードバックフィルタの１＋（ｎ×Ｋ）番目のフィルタタップに入力され、これにより、前記複数個の状態から出力される前記複数個の復号されたシンボルは、前記フィードバックフィルタの該当するフィルタタップに夫々入力される。
【００２２】
【数４】
2004112792.tif 000003
【００２３】
　即ち、前記フィードバックフィルタは、前記レベル決定部で決定された前記レベル値が入力されると、前記レベル値に基づいて各シンボルに対する前記ポスト・ゴーストを除去し、前記トレリス復号部から前記複数個の復号されたシンボルが入力されると、前記複数個の復号されたシンボルに基づいて前記ポスト・ゴーストを除去する。
【００２４】
　本発明にかかる単一搬送波受信機のチャンネル等化方法は、フィード・フォワードフィルタで放送信号に対する各シンボルのプリ・ゴーストを除去するステップと、フィードバックフィルタで前記放送信号に対する各シンボルのポスト・ゴーストを除去するステップと、前記プリ・ゴーストが除去されたシンボルと前記ポスト・ゴーストが除去されたシンボルとを加算するステップと、加算されたシンボルを設定されたレベルを基準にして該当するレベル値に決め、前記レベル値を前記フィードバックフィルタに入力するフィードバックステップと、全体の復号深度がＮ（Ｎは自然数）、全体のトレースバック遅延のシンボル長がＮ×Ｋ（Ｋは自然数）を有するトレリス復号器で復号するトレリス復号ステップと、設定されたエラー更新アルゴリズムにより加算された前記シンボルと前記決められた前記レベル値との誤差を算出するステップ、及び算出された誤差値に対応して前記トレリス復号器の前記復号深度Ｎのうちの複数個の状態から出力される複数個の復号されたシンボルを前記フィードバックフィルタに入力するか否かを制御するステップと、を有することを特徴とする。
【００２５】
　前記制御ステップは、前記誤差値に対応する信号対ノイズ比が設定された閾値以上であると、前記トレリス復号器の前記全体の復号深度のうちの複数個の状態から出力される複数個の復号されたシンボルを前記フィードバックフィルタに入力させる。
【００２６】
　ここで、前記トレリス復号器の前記復号深度がｎ（ｎは、式（５））の状態から出力される復号されたシンボルは、前記フィードバックフィルタの１＋（ｎ×Ｋ）番目のフィルタタップに入力され、これにより、前記複数個の状態から出力される前記複数個の復号されたシンボルは、前記フィードバックフィルタの該当するフィルタタップに夫々入力される。
【００２７】
【数５】
2004112792.tif 000004
【００２８】
　即ち、前記フィードバックフィルタは、前記レベル値に基づいて各シンボルに対する前記ポスト・ゴーストを除去し、前記トレリス復号器から前記複数個の復号されたシンボルが入力されると、前記複数個の復号されたシンボルに基づいて前記ポスト・ゴーストを除去する。
【００２９】
　従って、エラー算出部で算出されたエラー値に対応する信号対ノイズ比が閾値以上になると、トレリス復号部から入力される複数個の復号された値に基づいてフィードバックフィルタがフィルタリングを行うことにより、レベル決定部のレベル値の決定に際する誤りによる等化性能の劣化を低減することができる。
【発明の効果】
【００３０】
　本発明によると、エラー算出部で算出されたエラー値に対応する信号対ノイズ比が閾値以上になると、トレリス復号部から入力される複数個の復号された値に基づいてフィードバックフィルタがフィルタリングを行うことにより、レベル決定部のレベル値の決定に際する誤りによる等化性能の劣化を低減することができる。
【発明を実施するための最良の形態】
【００３１】
　以下、添付図面を参照して本発明を詳細に説明する。
［実施例］
　図３は、本発明にかかるＶＳＢ受信機に対する概略的なブロック図であり、以下では、単一搬送波受信機の例として、ＶＳＢ受信機を例に挙げて本発明を詳細に説明する。
【００３２】
　図３に示すように、ＶＳＢ受信機は、復調部８１、歪み補償部８２、コムフィルタ８３、チャンネル等化部８４、位相復元部８５、トレリス復号部８７、デインタリーバ８８、及びリード・ソロモン復号部８９を有する。
【００３３】
　復調部８１では、受信したＲＦ帯域の放送信号をベースバンドに変換する。歪み補償部８２では、復調部８１から出力された放送信号に対し、セグメント同期信号、フィールド同期信号、シンボルタイミング等を復旧する。コムフィルタ８３では、復調部８１より出力された放送信号からＮＴＳＣ干渉信号を除去する。
【００３４】
　チャンネル等化部８４では、伝送チャンネルを介して放送信号を伝送する間に発生したチャンネル歪みを補償する。位相復元部８５では、チャンネル歪みが補償された放送信号の位相を復元する。トレリス復号部８７では、位相復元部８５で位相歪みが復元された放送信号に対しトレリス復号を行なう。デインタリーバ８８では、トレリス復号された放送信号に対し送信側で行なったインタリーブに対応するデインタリーブを行なう。リード・ソロモン復号部８９では、送信側で行なった放送信号に対するリード・ソロモン符号化に対応する復号をデインタリーブされた放送信号に対し行なう。
【００３５】
　本実施の形態にかかるトレリス復号部８７は、例えば、図５に示す通りである。トレリス復号部８７の全体の復号深度は、０、１、２、３、・・・、Ｎの状態を有し、Ｋ（Ｋは自然数）シンボル単位でデインタリーブを行なう場合、これによる全体のトレースバック遅延長は、Ｋ×Ｎシンボル長を有する。即ち、トレリス復号部８７の復号深度が０、１、２、３、・・・、Ｎの状態で復号された値（ｄ０、ｄ１、・・・、ｄｎ）のうちの任意に設定された複数個の復号された値、例えば、ｄ０、ｄ１、・・・、ｄｎ（式（６））をチャンネル等化部８４にフィードバックする。従って、チャンネル等化部８４では、トレリス復号部８７からフィードバックされた複数個の復号された値に基づき、各シンボルに対するチャンネル等化を行なう。
【００３６】
【数６】
2004112792.tif 000005
【００３７】
　図４は、本発明にかかる等化性能を向上することができる単一搬送波受信機、例えば、図３に示すＶＳＢ受信機のチャンネル等化器に対する好適な実施の形態を示すブロック図である。
【００３８】
　図４に示すように、チャンネル等化器は、フィード・フォワードフィルタ１１０、フィードバックフィルタ１２０、合成部１３０、トレリス復号部１４０（図３のトレリスデコーダ８７）、レベル決定部１５０、エラー算出部１６０、及びトレリス制御部１７０を有する。
【００３９】
　フィード・フォワードフィルタ１１０は、放送信号の各シンボルに対しプリ・ゴーストの影響を除去する。フィードバックフィルタ１２０は、放送信号の各シンボルに対しポスト・ゴーストの影響を除去する。ここで、フィード・フォワードフィルタ１１０及びフィードバックフィルタ１２０の細部構成は、入力される放送信号をシンボル単位で順次にバッファリングし、各バッファ（図示せず）でバッファリングされる各シンボルからゴーストを除去する図１のフィード・フォワードフィルタ１０及びフィードバックフィルタ３０の構造と同一である。
【００４０】
　合成部１３０では、フィード・フォワードフィルタ１１０から出力されたプリ・ゴーストが除去された値Ｍとフィードバックフィルタ１２０から出力されたポスト・ゴーストが除去された値Ｌとを合成する。トレリス復号部１４０では、合成部１３０で合成された値Ｙをトレリス復号する。
【００４１】
　レベル決定部１５０では、合成部１３０で合成された値Ｙを設定されたレベルを基準にして最も近接する信号レベルに決める。これにより、レベル決定部１５０では、決められたレベル値Ｄをフィードバックフィルタ１２０及びエラー算出部１６０に提供する。ここで、レベル決定部１５０では、該レベルを設定された放送信号のレベルである、例えば、４レベル、８レベル、及び１６レベル等のうちの所定のレベルに対応して決める。
【００４２】
　エラー算出部１６０では、設定されたエラー更新アルゴリズムにより合成部１３０の出力値Ｙとレベル決定部１５０の出力値Ｄとを比べ、レベル決定部１５０の出力値Ｄに対する合成部１３０の出力値Ｙの誤差であるエラー値Ｅを算出する。エラー算出部１６０では、算出したエラー値Ｅをフィード・フォワードフィルタ１１０、フィードバックフィルタ１２０、及びトレリス制御部１７０に提供する。この際、フィード・フォワードフィルタ１１０及びフィードバックフィルタ１２０は、エラー算出部１６０から提供されたエラー値Ｅに基づいてフィルタタップ係数をアップデートする。
【００４３】
　トレリス制御部１７０では、エラー算出部１６０から提供されたエラー値Ｅに基づいてトレリス復号部１４０の動作を制御する。、即ち、トレリス制御部１７０は、エラー算出部１６０で算出されたエラー値Ｅに対応する信号対ノイズ比（ＳＮＲ）が設定された閾値以上になると、トレリス復号部１４０の全体の復号深度状態のうちの任意に設定された複数個の復号深度状態０、１、２、・・・、Ｎから出力される複数個の復号された値ｄ０、ｄ１、・・・、ｄｎをフィードバックフィルタ１２０の該当する複数個のフィルタタップに夫々入力するように制御する。
【００４４】
　例えば、トレリス復号部１４０が図５に示すように、複数個の設定された復号深度状態０、１、２、・・・、ｎ（式（７））から出力される復号された値がｄ０、ｄ１、・・・、ｄｎである場合を説明する。複数個の復号された値は、ｄ０、ｄ１、・・・、ｄｎトレースバック遅延長に対応してフィードバックフィルタ１２０の該当するフィルタタップに夫々入力される。即ち、復号深度‘０’の状態から出力された復号された値ｄ０は、フィードバックフィルタ１２０の一番目のフィルタタップに入力され、復号深度‘１’の状態から出力された復号された値ｄ１は、Ｋシンボル単位の（１＋Ｋ）番目のフィルタタップに入力される。このような方式で復号深度‘ｎ’の状態から出力された復号された値ｄｎは、フィードバックフィルタ１２０の１＋（ｎ×Ｋ）番目のフィルタタップに入力される。
【００４５】
【数７】
2004112792.tif 000006
【００４６】
　本発明にかかるトレリス復号部１４０は、入力される値Ｙに対しトレリス復号を行ないつつ、トレリス制御部１７０からの制御によってトレリス復号部１４０は設定された複数個の復号深度状態から出力される複数個の復号された値ｄ０、ｄ１、・・・、ｄｎをフィードバックフィルタ１２０の該当する夫々のフィルタタップに入力する。従って、フィードバックフィルタ１２０は、トレリス復号部１４０から入力される複数個の復号された値ｄ０、ｄ１、・・・、ｄｎに基づき、各シンボルに対するポスト・ゴーストを除去する。
【００４７】
　これにより、フィードバックフィルタ１２０は、レベル決定部１５０からフィードバックされる決定されたレベル値に基づいてポスト・ゴーストを除去するフィルタリングを行なう間にトレリス復号部１４０から複数個の復号された値ｄ０、ｄ１、・・・、ｄｎを入力されると、フィードバックフィルタ１２０は、複数個の復号された値ｄ０、ｄ１、・・・、ｄｎに基づき、各シンボルのポスト・ゴーストを除去する動作を行なう。
【００４８】
　この結果、レベル決定部１５０におけるレベル値の決定に際する誤りによるフィードバックフィルタ１２０のエラー伝搬現象を抑えることができる。
【００４９】
　図６は、トレリス復号の出力遅延による出力信号の信号対ノイズ比を示す表である。参考までに、実験のために用いた放送信号は、ブラジルＤチャンネルである。
【００５０】
　図６に示すように、ブラジルＤチャンネルは、トレリス復号部１４０の復号深度が‘０’の時、信号対ノイズ比が最も大きいことが分かる。従って、トレリス復号部１４０でのトレリス復号された値ｄ０をフィードバックフィルタ１２０に入力させるのが好ましい。これにより、ブラジルＤチャンネルのように前の部分に強いゴーストが含まれている場合でもトレリス復号部１４０でトレリス復号された値ｄ０がフィードバックフィルタ１２０に入力されることにより等化性能を向上できるようになる。
【００５１】
　図７は、本発明にかかるチャンネル等化性能を向上することができるチャンネル等化器を用いたチャンネル等化方法の好適な実施の形態を示すフローチャートである。なお、同フローチャートは、図４及び図５に基づく説明であるため、その詳細な説明を省略する。
【００５２】
　先ず、フィード・フォワードフィルタ１１０では、放送信号の各シンボルに対しプリ・ゴーストの影響を除去（Ｍ）する（Ｓ１１０）。フィードバックフィルタ１２０では、放送信号の各シンボルに対しポスト・ゴーストの影響を除去（Ｌ）する（Ｓ１２０）。
【００５３】
　合成部１３０では、フィード・フォワードフィルタ１１０から出力されたプリ・ゴーストが除去された値Ｍとフィードバックフィルタ１２０から出力されたポスト・ゴーストが除去された値Ｌとを合成する（Ｙ）（Ｓ１３０）。トレリス復号部１４０は、合成部１３０で合成された値Ｙをタップ単位でトレリス復号する（Ｓ１４０）。
【００５４】
　レベル決定部１５０では、合成部１３０で合成された値Ｙを設定されたレベルを基準にして最も近接する信号レベルに決め（Ｓ１５０）、次いで、その決定されたレベル値Ｄをフィードバックフィルタ１２０及びエラー算出部１６０に提供する。エラー算出部１６０では、設定されたエラー更新アルゴリズムにより合成部１３０の出力値Ｙとレベル決定部１５０の出力値Ｄとを比べ、レベル決定部１５０の出力値Ｄに対する合成部１３０の出力値Ｙの誤差値、即ちエラー値Ｅを算出する（Ｓ１６０）。エラー算出部１６０では、算出されたエラー値Ｅをフィード・フォワードフィルタ１１０、フィードバックフィルタ１２０、及びトレリス制御部１７０に提供する。この際、フィード・フォワードフィルタ１１０及びフィードバックフィルタ１２０は、エラー算出部１６０からのエラー値Ｅに基づいて係数のアップデートを行なう。
【００５５】
　一方、トレリス制御部１７０では、エラー算出部１６０からのエラー値Ｅに基づき、トレリス復号部１４０でトレリス復号された複数個の復号値をフィードバックフィルタ１２０に入力させるタイミングを制御する（Ｓ１７０）。トレリス制御部１７０では、エラー算出部１６０で算出されたエラー値Ｅに対応する信号対ノイズ比（ＳＮＲ）が設定された閾値以上になると、トレリス復号部１４０でトレリス復号された複数個の復号値をフィードバックフィルタ１２０に入力させるべくトレリス復号部１４０を制御する（Ｓ１７０）。
【００５６】
　これにより、フィードバックフィルタ１２０は、レベル決定部１５０からフィードバックされる決定されたレベル値に基づいてポスト・ゴーストを除去するフィルタリングを行なう間にトレリス復号部１４０から複数個の復号された値を入力されると、フィードバックフィルタ１２０は、複数個の復号された値に基づき、各シンボルのポスト・ゴーストを除去する動作を行なう。
【００５７】
　この結果、レベル決定部における誤りによりフィードバックフィルタで発生するエラー伝搬現象を抑えることにより、チャンネル等化器の等化性能を向上することができる。
【００５８】
　以上では、本発明の好適な実施の形態について図示し説明したが、本発明は、上述した特定の好適な実施の形態に限定されるものではなく、請求の範囲で請求する本発明の要旨を逸脱することなく当該発明の属する技術分野における通常の知識を有する者であれば誰でも多様な変形実施が可能であることはもとより、そのような変更は、請求の範囲内にあることは明らかである。
【産業上の利用可能性】
【００５９】
　 トレリス復号器から提供される複数個の復号されたシンボルを用いてチャンネル環境に対する受信信号の等化を行なう単一搬送波受信機のチャンネル等化器及びそのチャンネル等化方法に適用可能である。
【図面の簡単な説明】
【００６０】
【図１】従来の単一搬送波受信機に適用されたチャンネル等化器の一例を示す図である。
【図２】従来の単一搬送波受信機に適用されたチャンネル等化器の他の例を示す図である。
【図３】本発明にかかる単一搬送波受信機を概略的に示すブロック図である。
【図４】本発明にかかる等化性能を向上することができるチャンネル等化器の好適な実施の形態を示すブロック図である。
【図５】図４のトレリス復号部のトレリス復号値の出力に対する概念図である。
【図６】トレリス復号の出力遅延による出力信号の信号対ノイズ比を示す表である。
【図７】本発明にかかる単一搬送波受信機のチャンネル等化方法を示すフローチャートである。
【符号の説明】
【００６１】
　８１　　復調部
　８２　　歪み補償部
　８３　　コムフィルタ
　８４　　チャンネル等化部
　８５　　位相復元部
　８７　　トレリス復号部
　８８　　デインタリーバ
　８９　　リード・ソロモン復号部
　１１０　フィード・フォワードフィルタ
　１２０　フィードバックフィルタ
　１３０　合成部
　１４０　トレリス復号部
　１５０　レベル決定部
　１６０　エラー算出部
　１７０　トレリス制御部
【図１】
2004112792.tif 000010
【図２】
2004112792.tif 000011
【図３】
2004112792.tif 000012
【図４】
2004112792.tif 000013
【図５】
2004112792.tif 000014
【図６】
2004112792.tif 000015
【図７】
2004112792.tif 000016